(57)【特許請求の範囲】
【請求項１】
角部Ａ、Ｂ、Ｃ、Ｄを有し前記角部ＡとＣ、角部ＢとＤがそれぞれ対向する略正方形のガーゼ生地において、隣接する前記角部ＡとＢを結ぶ一辺部の近傍の該辺部とほぼ平行な位置にＸ線造影糸を織り込み、前記ガーゼ生地の前記角部ＡとＣとを結ぶ線分に沿って前記ガーゼ生地を三角形状に２つ折りし、該２つ折り部分を丸めるように数回折り畳んで折り畳み部を形成し、前記Ｘ線造影糸が現れている前記ガーゼ生地の面を内側として、前記折り畳み部の端部である前記角部ＡとＣを近付けた後に互いに絡み合わせて前記折り畳み部が上縁となる漏斗状の筒部を形成し、下方に垂れ下がった前記角部Ｂ及びＤの部分を上方に持ち上げ、前記角部Ａ、Ｃの絡み合わせ部を巻き込むようにして前記垂れ下がり部分を前記筒部の内側に繰り込みながら丸めて、前記Ｘ線造影糸が外部に露出せずに内部に収容されるように球状に形成することを特徴とする手術用ガーゼボールの製造方法。
【請求項２】
前記Ｘ線造影糸を辺部の長さの約２０％の内側位置に設けた前記ガーゼ生地を使用する請求項１に記載の手術用ガーゼボールの製造方法。
【発明の詳細な説明】
【０００１】
【発明の属する技術分野】
本発明は、外科手術の際に組織を剥離したり、血液や体液を吸収するための手術用ガーゼボールの製造方法に関するものである。
【０００２】
【従来の技術】
従来から外科手術においては、血液や体液を吸収し、吸液後の形態安定性のためにガーゼ生地を球状に丸めた手術用ガーゼボールが使用されることがある。しかし、このガーゼボールは使用後に吸収された血液の色に紛れて回収することを忘れてしまうことがあり、これを防止するためにＸ線造影糸が織り込まれたガーゼボールを使用すると、仮に体内に置き忘れた場合においても、それを術後のＸ線検査で発見することができる。
【０００３】
【発明が解決しようとする課題】
しかしながら、この従来のＸ線造影糸の織り込まれた手術用ガーゼボールは、綿生地にＸ線造影糸を織り込んだガーゼ生地を単に球状に巻いているため、ガーゼボールの外周面にＸ線造影糸の一部が露出している。
【０００４】
通常では、Ｘ線造影糸としてはＸ線透過性を有しないポリプロピレン等の繊維が使用されており、手術に際してこの素材のＸ線造影糸が患者の神経組織等と接触することは好ましくない。或いは、体内に置き忘れて神経組織等と長期間に渡って接触し続けることは避ける必要がある。
【０００５】
本発明の目的は、上述の課題を解決し、外周面にＸ線造影糸が露出しないように製造する手術用ガーゼボールの製造方法を提供することにある。
【０００６】
【課題を解決するための手段】
蒸気目的を達成するための本発明に係る手術用ガーゼボールの製造方法は、角部Ａ、Ｂ、Ｃ、Ｄを有し前記角部ＡとＣ、角部ＢとＤがそれぞれ対向する略正方形のガーゼ生地において、隣接する前記角部ＡとＢを結ぶ一辺部の近傍の該辺部とほぼ平行な位置にＸ線造影糸を織り込み、前記ガーゼ生地の前記角部ＡとＣとを結ぶ線分に沿って前記ガーゼ生地を三角形状に２つ折りし、該２つ折り部分を丸めるように数回折り畳んで折り畳み部を形成し、前記Ｘ線造影糸が現れている前記ガーゼ生地の面を内側として、前記折り畳み部の端部である前記角部ＡとＣを近付けた後に互いに絡み合わせて前記折り畳み部が上縁となる漏斗状の筒部を形成し、下方に垂れ下がった前記角部Ｂ及びＤの部分を上方に持ち上げ、前記角部Ａ、Ｃの絡み合わせ部を巻き込むようにして前記垂れ下がり部分を前記筒部の内側に繰り込みながら丸めて、前記Ｘ線造影糸が外部に露出せずに内部に収容されるように球状に形成することを特徴とする。
【０００７】
【発明の実施の形態】
本発明を図示の実施の形態に基づいて詳細に説明する。
図１に示すように手術用ガーゼボールを形成するには、綿素材から成る例えば一辺が１０ｃｍの正方形の１枚のガーゼ生地１を素材とし、角部Ａと角部Ｂを結ぶ辺部から、辺部の長さの例えば約２０％以内の位置に、辺部と平行に１本のＸ線造影糸２を織り込んだものを用いる。このＸ線造影糸２は例えばポリプロピレン繊維から成り、Ｘ線を遮断する性質を有しており、Ｘ線造影糸２はガーゼ生地１の両面に現れている。
【０００８】
図２〜図７は製造模式図を示しており、先ずガーゼ生地１を角部Ａ、Ｃを結ぶ線分に沿って沿って２つ折りとし、図２に示すように三角形状とする。図２（ａ）、（ｂ）はそれぞれガーゼ生地１の表面、裏面から見た平面図を示している。この際に、Ｘ線造影糸２は一辺の長さの約２０％以内の位置に存在するので、図２（ａ）、（ｂ）にそれぞれ示すように、大部分のＸ線造影糸２は三角形状に折った手前側の生地１ａに現れ、裏側の生地１ｂには角部Ａの一部にのみに現れる。
【０００９】
更に、図３に示すように角部Ａ、Ｃを結ぶ線分に沿った辺部を裏側に丸めるように数回折り畳んで、折り畳み部１ｃを形成する。続いて、図４に示すように三角形状としたガーゼ生地１のＸ線造影糸２が現れている生地１ａが内側となるように筒状に丸めて、撚り合わせた角部Ａ、Ｃ同士を近付ける。更に図５に示すように、角部Ａ、Ｃ同士を絡み合わせて漏斗状の筒部とする。
【００１０】
続いて図６に示すように、下方に垂れ下がったガーゼ生地１の角部Ｂ、Ｄを上方に持ち上げ、角部Ａ、Ｃの絡み合わせ部を巻き込むようにして、生地１ａ、１ｂの垂れ下がり部分を筒部の内側に繰り込んでゆき球状に成形すると、図７に示すようにＸ線造影糸２が外面に露出していない手術用ガーゼボール３が形成される。この場合に、ガーゼボール３の密度を大きくして硬くするには、治具を使うことが好ましい。
【００１１】
このように、Ｘ線造影糸２を手術用ガーゼボール３の内部に収容したことにより、血液等を吸収するために、このガーゼボール３を手術患部にあてがった場合においても、或いは仮に体内に置き忘れてもＸ線造影糸２が手術患部に直接に接触し続けることはない。
【００１２】
なお本実施の形態では、ガーゼ生地１は一辺１０ｃｍ程度の大きさとしたが、その他の各種の大きさのガーゼ生地を用いて、患部の大きさに適した各種の大きさのガーゼボール３を形成することができる。
【００１３】
また、Ｘ線による造影を更に確実にするために、図８に示すように複数本のＸ線造影糸２を織り込んだり、図９に示すように２本のＸ線造影糸２が端部で直交するように織り込んでもよい。
【００１４】
また、Ｘ線造影糸２の織り込んだガーゼ生地１を通常のガーゼ生地により覆うようにしてもよい。更には、Ｘ線造影糸２を織り込んだガーゼ生地１を用いることなく、通常のガーゼ生地により単糸から成るＸ線造影糸２を内包することもできる。
【００１５】
本実施の形態においては、Ｘ線造影糸２としてポリプロピレンを用いたが、ポリプロピレン以外でも人体に影響が少なく、ガーゼ生地よりもＸ線透過率が低くＸ線に造影する素材を用いてもよい。
【００１６】
【発明の効果】
以上説明したように本発明に係る手術用ガーゼボールの製造方法は、Ｘ線造影糸を外部に露出させずにボールの内部に収容するように製造することにより、Ｘ線造影糸が神経組織等に悪影響を与えることを軽減することができる。
【図面の簡単な説明】
【図１】  実施の形態におけるガーゼ生地の平面図である。
【図２】  ガーゼボールの製造模式図である。
【図３】  ガーゼボールの製造模式図である。
【図４】  ガーゼボールの製造模式図である。
【図５】  ガーゼボールの製造模式図である。
【図６】  ガーゼボールの製造模式図である。
【図７】  ガーゼボールの製造模式図である。
【図８】  他の実施の形態のガーゼ生地の平面図である。
【図９】  他の実施の形態のガーゼ生地の平面図である。
【符号の説明】
１  ガーゼ生地
１ａ、１ｂ  生地
１ｃ  折り畳み部
２  Ｘ線造影糸
３  手術用ガーゼボール
【図１】
0003745679.tif 000002
【図２】
0003745679.tif 000003
【図３】
0003745679.tif 000004
【図４】
0003745679.tif 000005
【図５】
0003745679.tif 000006
【図６】
0003745679.tif 000007
【図７】
0003745679.tif 000008
【図８】
0003745679.tif 000009
【図９】
0003745679.tif 000010